(57)【要約】【課題】裁縫箱本体内のスペースを有効に活用することができ、多くの裁縫道具を収容できる裁縫箱を提供する。【解決手段】本体上部開口３を有し、糸切鋏１０、針刺６、裁縫針８、及び糸１１などの裁縫道具を収容する裁縫箱本体２と、この裁縫箱本体２の本体上部開口３に開閉自在に設けられる蓋部４とを備えた裁縫箱１であって、裁縫箱本体２の上部に、一部の裁縫針８を保管するホルダー５が回動可能に取り付けられ、前記針刺６は、裁縫箱本体２と一体的に形成され、側部及び上部に針山開口部７ａを有する針山ケース７と、この針山ケース７に収容され、針山開口部７ａより露出する針山９とから構成された。【選択図】図１
0003137580.tif 000002
【実用新案登録請求の範囲】
【請求項１】
本体上部開口を通じて開口し、内部に本体収容部を有する裁縫箱本体を備えた裁縫箱であって、
前記本体収容部内に前記裁縫箱本体と一体的に形成され、内部に針山収納部を有する針山ケースと、該針山収納部に配設される針山とからなる針刺を備え、
少なくとも該針山ケースの側部に針山開口部を具備し、
該針山開口部から該針山を露出させたことを特徴とする裁縫箱。
【考案の詳細な説明】
【技術分野】
【０００１】
本考案は、主として児童の家庭科の学習で使用される教材用の裁縫箱に関する。
【背景技術】
【０００２】
この種の従来の裁縫箱として、特許文献１に開示されたものがある。図４、図５に示すように、従来の裁縫箱１００は、着脱自在の上蓋１０２を備えた合成樹脂製の小型の裁縫箱の本体１０１を備え、その内部に裁ち鋏１０３、針刺１０４、裁縫針１０５、糸１０６、メジャー１０７などの裁縫道具を収容する区画を形成する区画壁１０８と、裁縫針１０５や糸１０６などの一部を散逸しないように収容する合成樹脂製のコンパクトケース１０９とが設けられている。針刺１０４は、合成樹脂製の針山ケース１１０と、この針山ケース１１０に収容されるクッション製の針山１１１とからなり、針山ケース１１０の側方には、針山１１１を露出させる開口部１１２が形成されると共に、針山ケース１１０を本体１０１に固定する固定手段１１３が設けられている。この従来の裁縫箱１００では、上蓋１０２を外した状態で使用した後、針山１１１上の裁縫針１０５を開口部１１２から刺し込み、この状態で針山ケース１１０を本体１０１に固定手段１１３で固定し、裁ち鋏１０３を針刺１０４上に位置させて収容し、上蓋１０２を被せる。これにより、裁ち鋏１０３などの多くの裁縫道具を簡単に収容することができる。
【特許文献１】特開２００２−１４６６１６号公報
【考案の開示】
【考案が解決しようとする課題】
【０００３】
しかしながら、前記従来の裁縫箱１００にあっては、合成樹脂製の針刺１０４及び針山ケース１１０を本体１０１と別に成形して本体１０１に収容するので、裁縫箱１００内のかなりのスペースが上記針刺１０４及び針山ケース１１０で占められてしまい、裁縫針１０５や糸１０６以外の裁縫道具を収容するスペースが少ないという問題があった。
【０００４】
そこで、本考案は、前記した課題を解決すべくなされたものであり、本体内のスペースを有効に活用することができ、多くの裁縫道具を収容できる裁縫箱を提供することを目的とする。
【課題を解決するための手段】
【０００５】
請求項１の考案は、本体上部開口を通じて開口し、内部に本体収容部を有する裁縫箱本体を備えた裁縫箱であって、前記本体収容部内に前記裁縫箱本体と一体的に形成され、内部に針山収納部を有する針山ケースと、該針山収納部に配設される針山とからなる針刺を備え、少なくとも該針山ケースの側部に針山開口部を具備し、該針山開口部から該針山を露出させたことを特徴とする。
【考案の効果】
【０００６】
請求項１の考案によれば、針刺の針山ケースが裁縫箱本体と一体に形成されているので、別々に形成された場合と比べて、針刺に要する設置スペースを少なくでき、また、針刺を固定する固定手段を設ける必要がないので、裁縫箱本体内の構造の簡素化を図ることができる。これにより、本体内のスペースを有効に活用することができ、より小さなスペースで多くの裁縫道具を裁縫箱に収容できる。さらに、針山ケースが裁縫箱本体と一体に形成されているので、ちいさな針刺を紛失することを防止することができる。
【考案を実施するための最良の形態】
【０００７】
以下、本考案の一実施形態を図面に基づいて説明する。図１〜図３は、裁縫箱の一実施形態を示し、図１は本実施形態の裁縫箱を正面上方から見た斜視図、図２は本体及び蓋体の分解斜視図、図３は本体を底面側から見た分解斜視図である。
【０００８】
本実施形態の裁縫箱１は、直方体形状を具備するとともに、本体上部開口３を通じて開口し、内部に本体収容部２ｃを有する裁縫箱本体２と、この裁縫箱本体２の本体上部開口３に開閉自在に設けられる蓋部４と、本体上部開口３の近傍に回動自在に設けられるホルダー５とから構成されており、これらの裁縫箱本体２、蓋部４及びホルダー５は、いずれも合成樹脂製である。
【０００９】
裁縫箱本体２の本体収容部２ｃ一端側には、針刺６の針山ケース７が裁縫箱本体２と一体的に形成されている。針山ケース７は側部と上部に針山開口部７ａが設けられているとともに、内部に針山収納部７ｄが形成されている。そして、針山収納部７ｄには、クッション製の針山９が針山開口部７ａから一部分が露出した状態で収容されており、この針山９は、例えば２つ折りにされたフェルトから形成されている。針山ケース７の底部、すなわち裁縫箱本体２の底部には、針山開口部７ａより大きな底部開口７ｂが形成されると共に、この底部開口７ｂを塞ぐように底部カバー７ｃが設けられている。また、本体収容部２ｃには、糸切鋏１０、糸１１、針孔通１２、紐通１３、指貫１４，１５、及び錆止紙１６なども収容されている。
【００１０】
裁縫箱本体２の背面側上部の内面には、ホルダー５のヒンジ部５ｃと係合し、ホルダー５を回動自在に支持する一対の回動支持部２ａが設けられ、裁縫箱本体２の背面側上部の外面には、蓋部４のヒンジ部４ａと係合し、蓋部４を回動自在に支持する他の一対の回動支持部２ｂとが設けられている。裁縫箱本体２の前面上部には、蓋部４の内面突起４ｂが係合する係合溝２ｃが設けられている。
【００１１】
ホルダー５は、蓋部４を閉じたときに蓋部４の内側に配置される板状の回動部材５ａと、この回動部材５ａの一方の面に形成され、裁縫針８が挿通される突出部５ｂと、回動部材５ａの回転軸側に設けられ、裁縫箱本体２の後端上部の回動支持部２ａに係合するヒンジ部５ｃとから構成されている。突出部５ｂは、回動部材５ａの左右両端の近傍まで延びており、横方向へ細長い扇形状に形成されている。
【００１２】
この実施形態にあっては、使用時に、裁縫箱本体２の係合溝２ｃと蓋部４の内面突起４ｂとの係合状態を解除して、図１に示すように蓋部４を開いてホルダー５を起立位置に起立させると共に、針山９上の紐通１３及び錆止紙１６を取り除くことにより、針山ケース７の針山開口部７ａより針山９が露出するので、針山９に裁縫針８を突き刺すことができる。
【００１３】
一方、回動部材５ａを起立させた状態で、ホルダー５により保管される各裁縫針８が林立し、回動部材５ａ上端よりの各裁縫針８の頭部が突出しているので、所望の裁縫針８を選択して取り出す。また、回動部材５ａの上方より裁縫針８を差し入れて、回動部材５ａの一方の面に形成される突出部５ｂに裁縫針８を挿通することにより、この裁縫針８が保持される。
【００１４】
次いで、上記使用後に、針刺６の針山９の上部に林立状態で刺した裁縫針８を針山９の側方へ刺し変えたのち、その上方に裁縫道具を裁縫針８に妨げられずに収容することができるようになるので、針山ケース７上に紐通１３及び錆止紙１６を収容する。また、針刺６の針山ケース７と裁縫箱本体２の前端との間に、鞘と柄が付いた糸切鋏１０を収容し、裁縫箱本体２内で糸１１及び針孔通１２を積み重ねると共に、指貫１４，１５なども収容する。次いで、ホルダー５を収納位置である裁縫箱本体２の本体上部開口３まで倒すと共に、蓋部４を閉じて内面突起４ｂを裁縫箱本体２の係合溝２ｃに係合させることにより、蓋部４をロックする。
【００１５】
このように構成した本実施形態によれば、針刺６の針山ケース７が裁縫箱本体２と一体に形成されているので、別々に形成された場合と比べて、針刺６に要する設置スペースを少なくでき、また、針刺６を固定する固定手段を設ける必要がないので、裁縫箱本体２内の構造の簡素化を図ることができる。これにより、裁縫箱本体２内のスペースを有効に活用することができ、より小さなスペースで多くの裁縫道具を裁縫箱１に収容できる。さらに、針山ケース７が裁縫箱本体２と一体に形成されているので、ちいさな針刺６を紛失することを防止することができる。
【００１６】
また、本実施形態によれば、蓋部４を閉じたときその内側に配置したホルダー５により一部の裁縫針８を保管できるので、従来のように裁縫針などを収容する合成樹脂製のコンパクトケースを本体内に設ける必要がなくて済み、この点でも裁縫箱本体２内のスペースを有効に活用することができる。さらに、使用時にホルダー５を起立させた状態で、上方から裁縫針８を突出部５ｂに挿通させたり上方へ抜き出すので、この裁縫針８の出し入れも容易である。さらに、回動部材５ａの左右両端の近傍まで延びている突出部５ｂが横方向へ細長い扇形状に形成されているため、回動部材５ａを起立させた状態で、ホルダー５により保管される各裁縫針８が回動部材５ａの左右両端の近傍間で整然と林立し、回動部材５ａ上端よりの各裁縫針８の頭部が突出しているので、所望の裁縫針８を容易に選択して取り出すことができる。
【００１７】
また、本実施形態によれば、針刺６の針山ケース７の底部カバー７ｃを開いた状態で底部開口７ｂを通じて針山９を針山ケース７に挿入するので、針刺６の針山ケース７に針山９を容易に収容、および交換することができる。
【図面の簡単な説明】
【００１８】
【図１】本考案の一実施形態に係る裁縫箱を正面上方から見た斜視図である。
【図２】本実施形態に設けられる本体及び蓋体の分解斜視図である。
【図３】本実施形態に設けられる本体を底面側から見た分解斜視図である。
【図４】従来の裁縫箱を示す分解斜視図である。
【図５】従来の裁縫箱に設けられる針刺を示す斜視図である。
【符号の説明】
【００１９】
１  裁縫箱
２  裁縫箱本体
２ｃ  本体収容部
３  本体上部開口
４  蓋部
５  ホルダー
５ａ  回動部材
５ｂ  突出部
６  針刺
７  針山ケース
７ａ  針山開口部
７ｂ  底部開口
７ｃ  底部カバー
７ｄ  針山収納部
９  針山
【図１】
0003137580.tif 000003
【図２】
0003137580.tif 000004
【図３】
0003137580.tif 000005
【図４】
0003137580.tif 000006
【図５】
0003137580.tif 000007